(57)【要約】【課題】遊技領域区画飾りを用いて遊技領域を広くした遊技盤において、不正防止を図ることができる遊技盤を提供することを目的とする。【解決手段】遊技盤本体１の遊技盤面２の横からはみ出すように遊技領域区画飾り４が遊技盤本体の遊技盤面に取付けられ、遊技盤本体の横端部と遊技領域区画飾りとの間に形成される隙間を隠す遊技領域内飾りが遊技盤本体の遊技盤面に取付けられた遊技盤において、遊技領域区画飾り４の遊技領域内飾り側部分４０と遊技領域内飾り７の遊技領域区画飾り側部分７０（鍔７１）とが互いに前後方向で重ね合わされたものとした。【選択図】        図３
2004237067.tif 000002
【特許請求の範囲】
【請求項１】
遊技盤本体の遊技盤面の横からはみ出すように遊技領域区画飾りが遊技盤本体の遊技盤面に取付けられ、遊技盤本体の横端部と遊技領域区画飾りとの間に形成される隙間を隠す遊技領域内飾りが遊技盤本体の遊技盤面に取付けられた遊技盤において、遊技領域区画飾りの遊技領域内飾り側部分と遊技領域内飾りの遊技領域区画飾り側部分とが互いに前後方向で重ね合わされたことを特徴とする遊技盤。
【請求項２】
遊技領域内飾りの遊技領域区画飾り側部分が遊技領域区画飾りの遊技領域内飾り側部分の裏側に位置されたことを特徴とする請求項１記載の遊技盤。
【請求項３】
遊技領域区画飾りの遊技領域内飾り側部分が遊技盤本体の遊技盤面に沿って横移動する遊技領域内飾りの遊技領域区画飾り側部分を取込むことの可能な収容部を形成したことを特徴とする請求項２記載の遊技盤。
【請求項４】
遊技領域区画飾りが遊技領域内飾り側部分を含む部分体と本体とにより構成され、部分体が本体に対して横方向にスライド可能に取付けられたことを特徴とする請求項２記載の遊技盤。
【請求項５】
遊技領域区画飾りが遊技領域内飾り側部分を含む部分体と本体とにより構成され、部分体の遊技領域内飾り側部分が前後方向に開閉可能となるように部分体が本体に回転可能に取付けられたことを特徴とする請求項２記載の遊技盤。
【請求項６】
遊技領域区画飾りが遊技領域内飾り側部分を含む部分体と本体とにより構成され、部分体が本体に着脱可能に取付けられたことを特徴とする請求項２記載の遊技盤。
【請求項７】
遊技領域内飾りの遊技領域区画飾り側部分が遊技領域区画飾りの遊技領域内飾り側部分の前側に位置されたことを特徴とする請求項１記載の遊技盤。
【請求項８】
遊技盤本体の遊技盤面の横からはみ出すように遊技領域区画飾りが遊技盤本体の遊技盤面に取付けられた遊技盤において、遊技領域区画飾りが遊技盤本体の横端部と遊技領域区画飾り本体との間に形成される隙間を覆う遊技領域内飾りと単一体に形成されたことを特徴とする遊技盤。
【発明の詳細な説明】
【０００１】
【発明の属する技術分野】
本発明は、パチンコ機等の遊技機の遊技盤に関する。
【０００２】
【従来の技術】
図１０に示すように遊技盤本体１の遊技盤面２の横からはみ出すように遊技領域区画飾り４（「ベニヤ飾り」等と称される）を遊技盤本体１の遊技盤面２に取付孔４ａを介して図外の止めねじ等で取付けて遊技領域３を広くした遊技盤の発明が本出願人により出願されている（特願２００１−３２１７４５号）。即ち、ガイドレール２０と遊技領域区画飾り４との内側に形成される遊技領域３は遊技盤面２の横からはみ出すように形成されるので、遊技領域を広くできる。この場合、遊技盤本体１の横端部５と遊技領域区画飾り４との間に隙間６が形成されるので、この隙間６を隠すように図１１に示すような遊技領域内飾り７Ａ（「サイドランプ飾り」等と称される）が遊技盤本体１の遊技盤面２に取付孔７ａを介して図外の止めねじ等で取付けられる。つまり、後述する図１で示す本願の遊技領域内飾り７の位置に遊技領域内飾り７Ａが取付けられる。尚、図１０において、２１はアウト口、２２はハートである。
【０００３】
【発明が解決しようとする課題】
上記では図１２（図１の遊技領域内飾り７の位置に遊技領域内飾り７Ａを取付けた場合のＡ−Ａ断面図に相当する図）に示すように、遊技領域内飾り７Ａと遊技領域区画飾り４との間に遊技機の前後方向に直線的に抜ける隙間Ｈが発生する。一方、遊技盤を遊技機枠１０の前側から挿入するとき遊技盤本体１の裏側に設けられている制御装置８等の遊技部品を逃げるために隙間Ｈの裏側には遊技機枠１０の裏機構板１１が延長しておらず、隙間Ｈの裏側に対応する遊技機枠１０の部分は開口部１２となっている。従って、遊技機枠１０に遊技盤が組付けられて成るパチンコ機等の遊技機において、遊技者により遊技盤の前側から隙間Ｈを介して例えばピアノ線等が差し込まれて制御装置８等が不正操作されるといった課題があった。
本発明は、遊技領域区画飾りを用いて遊技領域を広くした遊技盤において、不正防止を図ることができる遊技盤を提供することを目的とする。
【０００４】
【課題を解決するための手段】
請求項１の発明では、遊技盤本体の遊技盤面の横からはみ出すように遊技領域区画飾りが遊技盤本体の遊技盤面に取付けられ、遊技盤本体の横端部と遊技領域区画飾りとの間に形成される隙間を隠す遊技領域内飾りが遊技盤本体の遊技盤面に取付けられた遊技盤において、遊技領域区画飾りの遊技領域内飾り側部分と遊技領域内飾りの遊技領域区画飾り側部分とが互いに前後方向で重ね合わされたものとしたので、遊技領域内飾りと遊技領域区画飾りとの間に生じ得る隙間を段差状に形成でき、不正防止効果が高く、かつ、遊技領域を広くできる遊技盤が得られる。
請求項２の発明では、遊技領域内飾りの遊技領域区画飾り側部分が遊技領域区画飾りの遊技領域内飾り側部分の裏側に位置される構成としたので、請求項１の効果に加え、遊技領域内飾りの遊技領域区画飾り側部分の浮き上りを防止できる。
請求項３の発明では、遊技領域区画飾りの遊技領域内飾り側部分が遊技盤本体の遊技盤面に沿って横移動する遊技領域内飾りの遊技領域区画飾り側部分を取込むことの可能な収容部を形成したことにより、遊技領域区画飾りを取付けた後においても遊技領域内飾りを遊技盤面の前側から容易に取付けることができるようになる。この場合、請求項２の効果の他、遊技領域区画飾りを先に取付けておくことができるので、遊技領域区画飾りによりガイドレールの姿勢を保護できる。
請求項４の発明では、遊技領域区画飾りが遊技領域内飾り側部分を含む部分体と本体とにより構成され、部分体が本体に対して横方向にスライド可能に取付けられたものとしたので、請求項３と同様な効果が得られる。特に、遊技領域内飾りを取付ける際に部分体をスライドさせた後に元の状態に戻せばよいので、遊技領域内飾りの取付けが容易になる。
請求項５の発明では、遊技領域区画飾りが遊技領域内飾り側部分を含む部分体と本体とにより構成され、部分体の遊技領域内飾り側部分が前後方向に開閉可能となるように部分体が本体に回転可能に取付けられたものとしたので、遊技領域区画飾りを取付けた後に部分体を開閉することで遊技領域内飾りを容易に取付けることができるので、請求項４と同様な効果が得られる。
請求項６の発明では、遊技領域区画飾りが遊技領域内飾り側部分を含む部分体と本体とにより構成され、部分体が本体に着脱可能に取付けられたものとしたので、遊技領域区画飾り本体を取付けた後に遊技領域内飾りを取付け、その後に部分体を遊技領域区画飾り本体に取付けることで、遊技領域内飾りを容易に取付けることができるので、請求項４と同様な効果が得られる。
請求項７の発明では、遊技領域内飾りの遊技領域区画飾り側部分が遊技領域区画飾りの遊技領域内飾り側部分の前側に位置される構成としたので、不正防止効果が高く、かつ、遊技領域を広くできるとともに、遊技領域区画飾りを取付けた後においても遊技領域内飾りを遊技盤面の前側から容易に取付けることができ、遊技領域区画飾りによりガイドレールの姿勢を保護できる遊技盤が得られる。
請求項８の発明では、遊技盤本体の遊技盤面の横からはみ出すように遊技領域区画飾りが遊技盤本体の遊技盤面に取付けられた遊技盤において、遊技領域区画飾りが遊技盤本体の横端部と遊技領域区画飾り本体との間に形成される隙間を覆う遊技領域内飾りと単一体に形成されたものとすれば、遊技領域区画飾り本体と遊技領域内飾りとの間に隙間が生じず、また、遊技領域内飾りを一体に備えた遊技領域区画飾り遊技盤に取付ければよいので、取付けも容易になる。従って、上記と同様な効果を奏する遊技盤が得られる。
【０００５】
【発明の実施の形態】
実施形態１
図１は実施形態１の遊技盤を示し、遊技盤は、遊技盤本体１の遊技盤面２の横からはみ出すように遊技領域区画飾り４が遊技盤本体１の遊技盤面２に取付けられ、遊技盤本体１の横端部５と遊技領域区画飾り４との間に形成される隙間６（図１０参照）を隠すようにサイドランプ飾り等の遊技領域内飾り７が遊技盤本体１の遊技盤面２に取付けられて成る。実施形態１においては、遊技領域内飾り７は、図２に示すように、遊技領域区画飾り側部分７０に、遊技領域区画飾り４の遊技領域内飾り側部分４０の裏側に位置される鍔７１を設けたものである。遊技領域内飾り７は、例えば遊技盤面２への取付ベース７２にレンズ飾り７３を取付けて成るサイドランプ飾りであり、鍔７１は、例えば遊技領域区画飾り側部分７０を張り出させた取付ベース７２により形成される。そして、遊技盤面２に遊技領域内飾り７を遊技盤面２に取付けた後に遊技領域区画飾り４を遊技盤面２に取付けるようにすれば、遊技領域内飾り７の遊技領域区画飾り側部分７０に設けた鍔７１を遊技領域区画飾り４の遊技領域内飾り側部分４０の裏側に位置させることができる。この場合でも遊技領域内飾り７と遊技領域区画飾り４との間には若干の隙間ａが生じ得るが、この隙間ａは図３に示すように遊技機の前側から後側にかけて段差状に形成され、従来のように遊技機の前後方向に直線的に抜ける隙間Ｈは生じない。従って、本実施形態１による遊技盤の前側から隙間ａを介して例えばピアノ線など差し込んでも鍔７１が邪魔になって遊技盤の裏側の制御装置８等に届かないので、不正防止が図れる。よって、遊技領域区画飾り４を用いて遊技領域を広くでき、従来に比べて不正防止効果の高い遊技盤が得られることになる。
また、遊技領域内飾り７の遊技領域区画飾り側部分７０に設けた鍔７１を遊技領域区画飾り４の遊技領域内飾り側部分４０の裏側に位置させたので、遊技領域内飾り７の遊技領域区画飾り側部分７０に設けた鍔７１を遊技領域区画飾り４の遊技領域内飾り側部分４０で押さえることができることから、遊技領域内飾り７の遊技領域区画飾り側部分７０に設けた鍔７１の部分の浮き上りを防止できる。
【０００６】
実施形態２
しかしながら一般に、遊技盤本体１には、図示しない特別図柄表示装置，各入賞装置等を取付けるための取付孔や釘位置孔等が形成された後に釘打ち機で遊技盤本体１の遊技盤面２に釘打ちされ、その後遊技盤面２にガイドレール２０が取付けられた後にガイドレール２０の姿勢を保護するためにガイドレール２０の外側の遊技領域区画飾り４が取付けられ、その後、遊技領域内飾り７や特別図柄表示装置、各入賞装置等の遊技部品が取付けられる。この場合、遊技領域内飾り７は遊技領域区画飾り４が取付けられた後に取付けることになるので、遊技領域内飾り７を遊技盤面２の前側から取付けようとした場合に、鍔７１が邪魔になり、鍔７１が遊技領域区画飾り４の遊技領域内飾り側部分４０の裏側に位置されるように遊技領域内飾り７を取付けることができない。そこで、図３に示すように、遊技領域区画飾り４の遊技領域内飾り側部分４０が遊技盤本体１の遊技盤面２に沿って横移動する遊技領域内飾り７の遊技領域区画飾り側部分７０に設けた鍔７１を取込むことの可能な収容部４１を形成する構成とすることで、遊技領域区画飾り４が取付けられた後に遊技領域内飾り７を取付ける場合でも鍔７１が邪魔になることなく遊技領域内飾り７の遊技領域区画飾り側部分７０に設けた鍔７１を遊技領域区画飾り４の遊技領域内飾り側部分４０の裏側に位置させることが可能となる。つまり、遊技領域内飾り７を遊技盤面２上でスライドさせて鍔７１を収容部４１に差し入れることによって鍔７１を遊技領域区画飾り４の遊技領域内飾り側部分４０の裏側に位置させることができ、遊技領域内飾り７を容易に取付けることができる。この場合、実施形態１の効果の他、遊技領域内飾り７より先に遊技盤面２に取付けられる遊技領域区画飾り４によりガイドレール２０の姿勢を保護できる。つまり、図１に示すように、遊技領域区画飾り４によりガイドレール２０の一部２０ａの姿勢を保護できる。
【０００７】
実施形態３
また、図４，５に示すように、遊技領域内飾り側部分４０の前側を遊技領域区画飾り本体４５と分断して、この分断された部分体５０を横方向にスライド可能に遊技領域区画飾り本体４５に取付けた構成の遊技領域区画飾り４Ａを用いてもよい。即ち、遊技盤面２に取付けられる遊技領域内飾り７の上下端間に対応する遊技領域区画飾り４の前側を分断して、部分体５０と遊技領域飾り本体４５とで構成された遊技領域区画飾り４Ａを用いてもよい。この遊技領域区画飾り４Ａを用いれば、遊技領域区画飾り４Ａが遊技盤面２に取付けられた後に遊技領域内飾り７を取付ける場合でも、遊技領域内飾り７を取付けるときに、部分体５０を横にスライドさせることにより、遊技領域内飾り７を遊技盤面２の前側から取付けることができ、取付け後に部分体５０を元の位置に戻すことにより鍔７１を遊技領域区画飾り４Ａの遊技領域内飾り側部分４０の裏側に位置させることができる。
スライド機構は、例えば遊技領域区画飾り本体４５にスライドガイド孔４６を設け、部分体５０にスライドガイド孔４６内をスライドするスライド体５１を設け、スライドガイド孔４６内に設けたばね係留部４７とスライド体５１とをコイルスプリングのようなばね５２で連結した構成とし、このばね５２の復元力で部分体５０を元の位置（図５の状態）に戻すことができるようにすればよい。
【０００８】
実施形態４
実施形態３では、遊技領域区画飾り本体４５に対してスライド可能な部分体５０を備えた遊技領域区画飾り４Ａを用いる場合を説明したが、図６〜図９に示すように、遊技領域内飾り側部分４０が前後方向に開閉可能となるように部分体５０ａが遊技領域区画飾り本体４５ａに回転可能に取付けられた遊技領域区画飾り４Ｂを用いてもよい。即ち、遊技盤面２に取付けられる遊技領域内飾り７の上下端間に対応する遊技領域区画飾り４の前側を分断して、部分体５０ａと遊技領域区画飾り本体４５ａとで構成された遊技領域区画飾り４Ａを用いてもよい。図８に示すように、遊技領域区画飾り本体４５ａには部分体５０ａが収納される凹部６１が形成され、この凹部６１の上下壁６２，６２に対応する部分体５０ａの上下片６３，６３には回転中心軸６４，６４及び係止片６５，６５が形成され、遊技領域区画飾り本体４５ａの凹部６１の上下壁６２，６２には回転中心軸６４，６４を回転可能に支持する軸受孔６６，６６が形成され、遊技領域区画飾り本体４５ａの凹部６１の底壁６７には係止片６５，６５の先端に設けられた係止フック６５ａ，６５ａが係止する係止孔６８，６８が形成されている。尚、部分体５０ａの遊技領域内飾り側部分４０の裏側における上下片６３，６３間には遊技領域内飾り７の鍔７１を抑える抑え片６９が形成されている。この抑え片６９は遊技領域内飾り７におけるレンズ飾り７３の側部７３ａ（図２，図７参照）の湾曲形状に合せて形成されている。また、上下片６３，６３における係止片６５，６５の両側には切り欠き部６５ｂ，６５ｂが形成され、これにより係止片６５の根元６５ｓから係止フック６５ａまでのスパンが長く設定され係止片６５が弾性により撓み易くなっている。以上により、まず遊技領域区画飾り本体４５ａを遊技盤面２に取付け、遊技領域区画飾り本体４５ａに部分体５０ａを取付ける。この場合、部分体５０ａの回転中心軸６４，６４は上下片６３，６３において抑え片６９が設けられていない側に設けられているので、部分体５０ａの前板５０ｆを撓ませて回転中心軸６４，６４を軸受孔６６，６６に挿着できる。そして、部分体５０を回転させて遊技領域区画飾り４Ｂの遊技領域内飾り側部分４０を前方に移動させ、この状態で遊技盤面２に遊技領域内飾り７を取付けた後に部分体５０を回転させて遊技領域内飾り側部分４０を後方（遊技盤面２側）に移動させると、係止片６５が撓んで係止フック６５ａが係止孔６８の裏側に係止する。
【０００９】
実施形態５
上記では部分体をスライド可能に構成したり、回転可能に構成したが、単に遊技領域区画飾り本体に対して着脱可能な部分体を備えた遊技領域区画飾りを用いてもよい。この場合、実施形態４と同様に部分体に係止片を設け、遊技領域区画飾り本体に係止孔を設ければよい。
【００１０】
実施形態３から実施形態５によれば、実施形態２と同様な効果が得られる。
【００１１】
実施形態６
また、遊技領域区画飾り４の遊技領域内飾り側部分４０に鍔を設け、従来と同様な遊技領域内飾り７Ａの遊技領域区画飾り側部分７０Ａ（図１１参照）が遊技領域区画飾り４の遊技領域内飾り側部分４０の前側に位置されるように構成してもよい。実施形態６によれば、不正防止効果が高く、かつ、遊技領域３を広くできるとともに、遊技領域区画飾り４を取付けた後においても遊技領域内飾り７Ａを遊技盤面２の前側から容易に取付けることができ、遊技領域区画飾り４によりガイドレール２０の姿勢を保護できる遊技盤が得られる。
【００１２】
実施形態７
従来の遊技領域区画飾り４と遊技領域内飾り７Ａとが単一体に形成された飾り、言い換えれば、遊技領域区画飾りが遊技盤本体１の横端部５と遊技領域区画飾り本体との間に形成される隙間を覆う遊技領域内飾りと単一体に形成されたものを用いれば、遊技領域区画飾り４と遊技領域内飾り７Ａとの間に隙間が生じることがないので、遊技領域を広くでき、不正防止効果の高い遊技盤が得られる。また、遊技領域区画飾りが遊技領域内飾りを備えるので、遊技盤面２への取付けも容易になる。
【図面の簡単な説明】
【図１】本発明の実施形態１の遊技盤の正面図。
【図２】実施形態１の遊技盤に用いる鍔付きの遊技領域内飾りを示す正面図。
【図３】図１のＡ−Ａ断面図（遊技機枠との関係を含む）。
【図４】実施形態３の遊技盤の正面図。
【図５】図４のＢ−Ｂ断面図。
【図６】実施形態４の遊技盤の正面図。
【図７】図６のＣ−Ｃ断面図。
【図８】実施形態４における遊技領域区画飾りの分解斜視図。
【図９】実施形態４における遊技領域区画飾りの遊技領域内飾り側部分体を裏側から見た斜視図。
【図１０】従来の遊技盤を示す正面図。
【図１１】従来の遊技盤に用いる遊技領域内飾りを示す正面図。
【図１２】図１の遊技領域内飾りの位置に従来の遊技領域内飾りを取付けた場合のＡ−Ａ断面図に相当する図（遊技機枠との関係を含む）。
【符号の説明】
１  遊技盤本体、２  遊技盤面、４，４Ａ，４Ｂ  遊技領域区画飾り、５  遊技盤本体の横端部、６  隙間、７  遊技領域内飾り、４０  遊技領域区画飾りの遊技領域内飾り側部分、４１  収容部、４５，４５ａ  遊技領域区画飾り本体、５０，５０ａ  部分体、７０  遊技領域内飾りの遊技領域区画飾り側部分、
７１  鍔。
【図１】
2004237067.tif 000003
【図２】
2004237067.tif 000004
【図３】
2004237067.tif 000005
【図４】
2004237067.tif 000006
【図５】
2004237067.tif 000007
【図６】
2004237067.tif 000008
【図７】
2004237067.tif 000009
【図８】
2004237067.tif 000010
【図９】
2004237067.tif 000011
【図１０】
2004237067.tif 000012
【図１１】
2004237067.tif 000013
【図１２】
2004237067.tif 000014